(57)【要約】【構成】棒部と該棒部の先端に取付られたＵ字形部とを備えてなる刺股状防護具において、当該棒部に筒状部材を周設すると共に、当該Ｕ字形部に筒状部材を周設してなる刺股状防護具。【効果】棒部やＵ字形部に当該棒部やＵ字形部の径よりも大きく構成された例えば合成樹脂製のチューブ又はパイプよりなる筒状部材が周設されているので、当該刺股状防護具を使用したときに、例えば、学校への侵入者が、当該刺股状防護具のＵ字形部や棒部を掴んで例えば当該刺股状防護具を外そうとしたり或いは逆に奪おうとしても、当該筒状部材が回転したり摺動したり又は滑動してしまうので、力が入らず、当該刺股状防護具を外したり或いは奪うことが不可能になる。【選択図】図１
2005164204.tif 000002
【特許請求の範囲】
【請求項１】
棒部と該棒部の先端に取付られたＵ字形部とを備えてなる刺股状防護具において、当該棒部に筒状部材を周設すると共に、当該Ｕ字形部に筒状部材を周設してなることを特徴とする刺股状防護具。
【請求項２】
筒状部材が、合成樹脂製チューブ又はパイプで、棒部又はＵ字形部の径よりも大きく構成され、回転可能、摺動可能又は滑動可能に周設されていることを特徴とする、請求項１に記載の刺股状防護具。
【発明の詳細な説明】
【技術分野】
【０００１】
本発明は、刺股（さすまた）状防護具に関し、特に、建物などへの侵入者への防御具として使用できる刺股状防護具に関するものである。
【背景技術】
【０００２】
刺股（さすまた）は、江戸時代、乱暴者や犯罪人を捕縛するための武器の一種として使用されており、一般に、かしの棒の先端にＵ字形の金具をつけたものである。
その長さは、例えば、約２ｍ程あり、その用法の一例は、当該刺股を用いて相手のむこうずねを突き、相手をねじ倒し、首を押さえて縄を掛け、乱暴者や犯罪人を捕縛していた。
当該刺股は、今日でも、交番に置かれている。
当該刺股の一例を、図５に示す。当該刺股５００は、棒（柄）５０１とＵ字形部５０２とからなっている。
近時、学校や建物等への不法侵入事件が多発しており、当該刺股は、侵入者に対する防御具として現在でも立派に役立つものであるが、上記のような従来例では、力の強い侵入者の場合、例えば、腰に刺股の前記Ｕ字形部５０２を押当ると、当該Ｕ字形部５０２の先端部を握られたり、或いは、棒部（柄部）５０１を握られて、逆に、刺股を相手に奪われてしまうことがあるという欠点があった。
【発明の開示】
【発明が解決しようとする課題】
【０００３】
本発明は、上記従来技術の有する欠点を解消した新規の技術を提供することを目的としたものである。
本発明の他の目的や新規な特徴については本件明細書及び図面の記載からも明らかになるであろう。
【課題を解決するための手段】
【０００４】
本発明の特許請求の範囲は、次の通りである。
（請求項１）棒部と該棒部の先端に取付られたＵ字形部とを備えてなる刺股状防護具において、当該棒部に筒状部材を周設すると共に、当該Ｕ字形部に筒状部材を周設してなることを特徴とする刺股状防護具。
（請求項２）筒状部材が、合成樹脂製チューブ又はパイプで、棒部又はＵ字形部の径よりも大きく構成され、回転可能、摺動可能又は滑動可能に周設されていることを特徴とする、請求項１に記載の刺股状防護具。
【発明の効果】
【０００５】
本発明によれば、棒部やＵ字形部に、当該棒部やＵ字形部の径よりも大きく構成された例えば合成樹脂製のチューブ又はパイプよりなる筒状部材が、当該刺股状防護具のＵ字形部及び棒部に周設されているので、当該刺股状防護具を使用したときに、例えば、学校への侵入者が、当該刺股状防護具のＵ字形部や棒部を掴んで例えば当該刺股状防護具を外そうとしたり或いは逆に奪おうとしても、当該筒状部材が回転したり摺動したり又は滑動してしまうので、力が入らず、当該刺股状防護具を外したり或いは奪うことが不可能になる。
【発明を実施するための最良の形態】
【０００６】
図１に示すように、刺股状防護具１は、棒部（柄部）１００とＵ字形部１０１とを備えてなると共に、棒部１００やＵ字形部１０１に、筒状部材１０２が各々取り付けられている。
当該筒状部材１０２は、例えば、軟質の合成樹脂製のチューブ又はパイプから構成されている。又、当該筒状部材１０２は、当該棒部１００やＵ字形部１０１の径よりも大きく構成されている。
当該棒部１００における当該筒状部材１０２は、図示のように、当該棒部１００の中途からＵ字形部１０１の縁に掛けて装着されている。当該筒状部材１０２は、当該棒部１００の径よりもやや大きく構成され、例えば、侵入者が当該棒部１００における当該筒状部材１０２を掴むと、回転したり摺動したり又は滑動して、力が入らず、当該刺股状防護具を外したり或いは奪うことが不可能になるように装着されている。
Ｕ字形部１０１における当該筒状部材１０２は、例えば、図示のように、当該Ｕ字形部１０１の先端部からＵ字形部１０１の縁に掛けて装着されている。当該Ｕ字形部１０１における筒状部材１０２は、当該Ｕ字形部１０１の径よりもやや大きく構成され、例えば、侵入者が当該Ｕ字形部１０１における筒状部材１０２を掴むと、回転したり摺動したり又は滑動して、力が入らず、当該刺股状防護具を外したり或いは奪うことが不可能になるように装着されている。当該Ｕ字形部１０１における筒状部材１０２は、当該Ｕ字形部１０１の開口部の両側に各々配設する。
【０００７】
Ｕ字形部１０１における筒状部材１０２は、例えば、図４に示すように、一端部１０２０をシールし、他端部の開口１０２１側から当該Ｕ字形部１０１に装着し、当該一端部１０２０のシールの一部を、例えば、丸円筒状の栓２により内側に凹ませて止着固定すると、当該筒状部材１０２の上記した回転、摺動又は滑動機能を良好に発揮できる。
当該Ｕ字形部１０１における他方の筒状部材１０２も、同様にして装着し、端部を止着固定するとよい。
【０００８】
図２に示すように、棒部（柄部）１００における筒状部材１０２の端部近傍には、当該筒状部材１０２のストッパー３を設けるとよい。当該ストッパー３は、当該棒部（柄部）１００における筒状部材１０２の抜けを防止できる。
【０００９】
図３に示すように、棒部（柄部）１００には、当該刺股状防護具１の操作を容易にする或いは滑止めなどの観点から、例えば、ゴム製のグリップ部４を取り付けるとよい。
【００１０】
本発明では、適宜変更が可能であり、例えば、前記実施例では、栓２を用いて筒状部材１０２の端部を固定する例を示したが、例えば接着剤を用いるなどの他の方法で固定してもよい。
本発明の刺股状防護具における棒部とＵ字形部とは一体化されていても又個別に独立した形態であってもよい。又、これら棒部とＵ字形部は、同じ材質の材料からなっていてもいてもよいし又異なった材質の材料からなっていてもよい。
【産業上の利用可能性】
【００１１】
本発明は、刺股その他の各種の防護具として利用できる。
【図面の簡単な説明】
【００１２】
【図１】本発明の実施例を示す構成図である。
【図２】本発明の他の実施例を示すストッパーを設けた構成図である。
【図３】本発明の他の実施例を示す構成図である。
【図４】本発明の更に他の実施例を示す要部構成図及びＭ部の断面図である。
【図５】従来例を示す構成図である。
【符号の説明】
【００１３】
１    刺股状防護具
２    栓
３    ストッパー
４    グリップ部
１００    棒部（柄部）
１０１    Ｕ字形部
１０２    筒状部材
【図１】
2005164204.tif 000003
【図２】
2005164204.tif 000004
【図３】
2005164204.tif 000005
【図４】
2005164204.tif 000006
【図５】
2005164204.tif 000007